(57)【特許請求の範囲】
【請求項１】
複数の回動自在なルーバー羽根を略平行に並べて窓面での遮光を行うルーバー列を形成し、複数のルーバー列を隙間を介して平行に重ねると共に、複数のルーバー列の重なり方向から見て夫々のルーバー列を構成するルーバー羽根の長手方向を互いに交差させ、
この複数のルーバー列を、矩形の窓枠を有する窓面を覆うように且つ各ルーバー羽根の回動中心が窓枠のいずれかの辺と略平行となるように配置したことを特徴とする多段ルーバー機構。
【請求項２】
ルーバー羽根の長手方向に対する垂直断面が屈曲部を有する形状であることを特徴とする請求項１記載の多段ルーバー機構。
【発明の詳細な説明】
【０００１】
【発明の属する技術分野】
本発明は、多段ルーバー機構に関するものである。
【０００２】
【従来の技術】
従来より、天窓等の窓において遮光を行う場合、図２に示すようなルーバー羽根からなるブラインド機構が使用されている。
【０００３】
これは、上下のフレーム５，５間にガイドワイヤー６，６を張り、これらガイドワイヤー６，６にルーバー羽根１’に穿設した孔７を通して並置し、上下のチルト回転軸８，８にラダーテープ９を巻回し、ラダーテープ９に各ルーバー羽根１’を連結するものである。
【０００４】
しかして、チルト回転軸８を駆動回転させることで、ラダーテープ９を巻取り及び巻戻してルーバー羽根１’の傾きを調整するものである。
【０００５】
ところで、上記のようなブラインド機構を設けた窓において採光する場合、複数のルーバー羽根１’が全て同方向に並置されてあるため、日光が矢印のように水平に射す時、室内側のうちＡ部側は日光が入射して明るくなるが、Ｂ部側は日光が直接入射しないので暗くなり、そこで、日光をルーバー羽根１’で反射させることでＢ部側に入射させて明るくしようとしても、ルーバー羽根１’は長手方向廻りにしか回転しないためにＢ部側には反射させられないという問題があった。
【０００６】
また、上記のようなブラインド機構を設けた窓において遮光する場合、全て同方向に並置したルーバー羽根１’の短手方向端部より光が漏れ入るため、高い遮光性が得られないという問題もあった。
【０００７】
【発明が解決しようとする課題】
本発明は上記の点に鑑みてなされたものであり、その目的とするところは、採光時には、日光がいかなる方向から射していても日光をルーバー羽根で反射したりして室内の所望の位置を明るくできて、遮光時には、ルーバー羽根短手方向端部より光が漏れ入らなくて遮光性の高い多段ルーバー機構を提供することを課題とするものである。
【０００８】
【課題を解決するための手段】
上記課題を解決するために本発明に係る多段ルーバー機構は、複数の回動自在なルーバー羽根１を略平行に並べて窓面２での遮光を行うルーバー列３を形成し、複数のルーバー列３を隙間４を介して平行に重ねると共に、複数のルーバー列３の重なり方向イから見て夫々のルーバー列３を構成するルーバー羽根１の長手方向ロ，ハを互いに交差させ、この複数のルーバー列３を、矩形の窓枠を有する窓面２を覆うように且つ各ルーバー羽根１の回動中心が窓枠のいずれかの辺と略平行となるように配置したことを特徴とするものである。このような構成とすることで、採光時には、日光がいかなる方向から射していても、いずれかのルーバー列３のルーバー羽根１で日光を反射させることで室内の所望の位置を明るくできると共に、遮光時には、最外のルーバー列３ａのルーバー羽根１の短手方向端部より光が漏れ入っても、ルーバー列３ａと長手方向が交差するすぐ内側のルーバー列３ｂによって漏れ入った光を遮光できて、遮光性を高めることができるようになるものである。
【０００９】
また、ルーバー羽根１の長手方向に対する垂直断面が屈曲部を有する形状であることが好ましい。このような構成とすることで、ルーバー羽根１の断面を矩形状とした場合と比較して、ルーバー羽根１の大きさがほぼ同じでありながら、ルーバー羽根１の撓みに対する剛さを上げることができるものである。
【００１０】
【発明の実施の形態】
以下、本発明を図１に示す実施形態に基づいて説明する。
【００１１】
本発明における多段ルーバー機構は、複数のルーバー羽根１によってルーバー列３（３ａ，３ｂ）を形成し、更に、ルーバー列３（３ａ，３ｂ）を隙間を介して平行に二段に重ねて構成されるものである。
【００１２】
ルーバー羽根１は、一方向に長い樹脂もしくはアルミ等の金属の薄肉剛性材により形成され、その断面形状は本実施形態では矩形状となっている。また、ルーバー羽根１の両端部には、ルーバー羽根１を長手方向に沿って回転させるために回転軸１１を突設してあり、これによってルーバー羽根１は回転軸１１を中心に回転可能となる。
【００１３】
このようなルーバー羽根１を複数、それぞれの回転軸１１が平行となって且つ等ピッチで且つ全ての回転軸１１が同一平面内に配置されるように並設して一つのルーバー列３を形成するものである。
【００１４】
上記のようなルーバー列３は、ルーバー列３を形成するルーバー羽根１の回転軸１１が形成する平面が平行になるようにルーバー列３（３ａ，３ｂ）を二段重ねるものである。このとき、二つのルーバー列３（３ａ，３ｂ）は、それぞれのルーバー列３ａ，３ｂを形成するルーバー羽根１の回転軸１１方向ロ，ハが直交して且つ、それぞれの回転軸１１方向ロ，ハが窓面２の矩形の窓枠の一辺に平行となるように重ねるものである。
【００１５】
一段目のルーバー列３ａと二段目のルーバー列３ｂとの間には、夫々のルーバー列３ａ，３ｂを形成するルーバー羽根１を回動させて最も接近した時、すなわち、図１に示すようにルーバー羽根１が窓面２に対して垂直となった状態で、わずかな隙間ができるように配置してある。このように配置することで、二段重ねのルーバー列３を納まりよく収納できるようになるものである。
【００１６】
各ルーバー列３のルーバー羽根１は、図示はしないが、独立した二つの駆動ユニットがそれぞれのルーバー列３のルーバー羽根１を自在に回動するものであり、ルーバー羽根１の回動角度範囲θは１８０°にしてある。ルーバー羽根１を回動させる駆動ユニットの駆動方式は、例えば各ルーバー羽根１を一連物のアームに接合して、アームをモーター等で駆動することでルーバー羽根を回転するもの、あるいは、ルーバー羽根１の回転軸１１にギアを設けてベルト，ワイヤ，長尺のラック等に回転軸１１のギアを噛み合わせて、ベルト，ワイヤ，長尺のラック等をモーター等で駆動して各ルーバー羽根１を回動させるもの、等があるが特にこれらに限定されるものではなく、また、手動でルーバー羽根１を回転させるようにしてもよいものである。
【００１７】
以上のように構成した多段ルーバー機構は、二段に構成してあるルーバー列３（３ａ，３ｂ）において、それぞれのルーバー列３（３ａ，３ｂ）を構成するルーバー羽根１の長手方向ロ，ハが互いに直交するものであるため、採光時においては、日光がいかなる方向から射していても、ルーバー列３ａ，３ｂのルーバー羽根１をそれぞれ適当な回転角度に調節することで、ルーバー羽根１で日光を反射させて室内の所望の位置を明るくできて、また、遮光時においては、ルーバー列３ａのルーバー羽根１の短手方向端部より光が漏れ入っても、ルーバー列３ａと直交するルーバー列３ｂによって漏れ入った光を遮光できて、遮光性を高めることができるものである。
【００１８】
また、ルーバー羽根１の断面は、ルーバー羽根１が長手方向に撓むのを軽減するために、例えば円弧やＳ字あるいはＭ字型といったような屈曲部を有する形状としてもよいものである。このような構成とすることで、ルーバー羽根１の断面を断面積が同等の矩形状とした場合と比較して、ルーバー羽根１の大きさがほぼ同じでありながら、ルーバー羽根１の撓みに対する剛さを上げることができるものである。
【００１９】
【発明の効果】
上記のように本発明の請求項１記載の発明にあっては、複数の回動自在なルーバー羽根を略平行に並べて窓面での遮光を行うルーバー列を形成し、複数のルーバー列を隙間を介して平行に重ねると共に、複数のルーバー列の重なり方向から見て夫々のルーバー列を構成するルーバー羽根の長手方向を互いに交差させ、この複数のルーバー列を、矩形の窓枠を有する窓面を覆うように且つ各ルーバー羽根の回動中心が窓枠のいずれかの辺と略平行となるように配置したので、採光時には、日光がいかなる方向から射していても、いずれかのルーバー列のルーバー羽根で日光を反射させることで室内の所望の位置を明るくできると共に、遮光時には、最外のルーバー列のルーバー羽根の短手方向端部より光が漏れ入っても、ルーバー列と長手方向が交差するすぐ内側のルーバー列によって漏れ入った光を遮光できて、遮光性を高めることができるようになるものである。
【００２０】
また請求項２記載の発明にあっては、上記請求項１記載の発明の効果に加えてルーバー羽根の長手方向に対する垂直断面が屈曲部を有する形状であるので、ルーバー羽根の断面を矩形状とした場合と比較して、ルーバー羽根の大きさがほぼ同じでありながら、ルーバー羽根の撓み対する剛さを上げることができるものである。
【図面の簡単な説明】
【図１】本発明の一実施形態の斜視図である。
【図２】従来の実施例の斜視図である。
【符号の説明】
１  ルーバー羽根
２  窓面
３  ルーバー列
【図１】
0004543537.tif 000002
【図２】
0004543537.tif 000003